(57)【要約】【課題】防犯センサからの侵入者検知信号を受けて所定の警報処理をおこなう監視制御盤等で構成される防犯システムにおいて、センサを設置した場所の、周囲の状況に合わせて判定基準を設定し、侵入者以外の要因に基づく、センサの検知信号を除去すること。【解決手段】複数の防犯センサの検知信号を入力信号とし、それらの信号の状況を、設定された条件と比較して判断し、最終的に検知信号として出力するか否かの判定をおこなう条件設定制御盤を設け、この条件設定制御盤からの出力を監視制御盤へ送るようにしたものである。条件設定制御盤の判定部がおこなう判定基準の設定は、パソコンからの操作によりおこなうようにし、その設置現場に適した判定基準を定めることができるようにした。条件設定には、ＡＮＤ、ＯＲ、順序の３種類の設定の中から１つを選択して設定するものが含まれる。【選択図】図１
2005078137.tif 000002
【特許請求の範囲】
【請求項１】
センサ入力を受けて所定の警報処理をおこなう監視制御盤に接続して用いる装置であって、複数のセンサからの信号入力を受け付け、設定されたタイマー時間中の状態を監視し判定をおこなう判定部と、前記判定部がおこなう判定基準を設定する判定条件入力部と、前記判定部からの判定結果に基づく信号を出力する信号出力部とを備え、前記判定部がおこなう判定の基準は、複数のセンサからの信号入力の個々の入力の受け付けの有効と無効の設定、入力の受け付けが有効の場合における入力回数の設定、最初の入力があったときに計時を開始し、どのくらいの時間経過後に対応する入力のカウンターをリセットさせるかを設定するタイマー時間の設定、複数のセンサからの有効な信号入力が、すべて入力された場合に信号を出力する設定、複数のセンサからの有効な信号入力のうち、いずれか１つの信号入力があった場合に信号を出力する設定、複数のセンサからの有効な信号入力が、設定した順番に入力された場合に信号を出力する設定、の複数の組み合わせに基づき成されるよう設定されたものであることを特徴とする条件設定制御盤。
【請求項２】
前記判定部がおこなう判定基準の設定は、判定条件入力部に接続するパソコンからの操作によりおこなうものであることを特徴とする請求項１に記載の条件設定制御盤。
【発明の詳細な説明】
【技術分野】
【０００１】
本発明は、複数の防犯センサと、これらの防犯センサからの侵入者検知信号を受けて所定の警報処理をおこなう監視制御盤等で構成される防犯システムに関するものであり、とくに複数の防犯センサの検知状況を、設定された条件と比較して判断し、最終的に検知信号として出力するか否かの判定をおこなうインターフェースユニットに関するものである。
【背景技術】
【０００２】
従来の防犯システムは、監視対象となる施設に設置した複数の防犯センサと、これらの防犯センサからの侵入者検知信号を受けて所定の警報処理をおこなう監視制御盤等で構成されている。防犯センサが出力した検知信号は、そのまま直接監視制御盤に伝わり、検知信号が、侵入者を検知した結果生じたものであっても、誤動作により生じたものであっても、一律に、侵入者検知信号として所定の警報信号処理がおこなわれる。複数の入力チャンネルを備え、各チャンネル間のアンド・オア出力を切換える監視制御盤は存在していた（例えば、特許文献１参照）が、入力信号の回数や順番の設定を含む、複雑な判定条件を設定し、それと比較して判断し、最終的に検知信号として出力するか否かの判定をおこなうインターフェースユニットといったものは存在しなかった。
【特許文献１】特開昭５５−１５９２９７号公報
【発明の開示】
【発明が解決しようとする課題】
【０００３】
防犯システムが、誤動作した場合、その原因を調査し、必要な対応をおこなう。センサの異常によるものであることが判明した場合には、そのセンサを交換したり、修理したりするといった処置で解決されるが、センサに異常が認められない場合には、別の対応が必要となる。例えば、センサを設置した場所の、周囲の状況が、そのセンサにとって過酷な環境であるような場合には、別の検出原理のものと交換したり、より安定性の高いセンサに交換したりすることになる。
【０００４】
その他の対処方法として、既設のセンサと同等の性能を有するセンサを併設する形で追加し、２台のセンサが同時に検知信号を発する場合にのみ、監視制御盤へ、検知信号が送られるようにするといった方策がとられたりする。この場合には、２台のセンサの検知信号出力部から導出される伝送用配線が、並列接続されるようにするといった、配線上の処理が必要となる。
【課題を解決するための手段】
【０００５】
本発明は、複数の防犯センサの検知信号を入力信号とし、それらの信号の状況を、設定された条件と比較して判断し、最終的に検知信号として出力するか否かの判定をおこなう条件設定制御盤を設け、この条件設定制御盤からの出力を監視制御盤へ送るようにしたものである。条件設定制御盤の判定部がおこなう判定基準の設定は、パソコンからの操作によりおこなうようにし、その設置現場に適した判定基準を定めることができるようにした。
【発明の効果】
【０００６】
本発明では、条件設定制御盤へ複数の防犯センサの検知信号を入力し、それらの信号の状況を判断し、最終的に検知信号として出力するか否かの判定をおこない、その結果を監視制御盤へ送るようにしたので、防犯システムの誤動作を減らすことができる。条件設定制御盤の判定部がおこなう判定基準の設定は、判定条件入力部に接続するパソコンからの操作によりおこない、必要に応じシステムの管理者により変更可能としたので、誤動作がなくなるまで、その設置現場に適した判定基準に変更することができ、システムの安定動作実現のための調整作業の効率が上がる。センサの出力信号を並列接続されるように変更するといった、配線上の処理は不要であり、その分の作業が省かれる。センサとしては、カウント機能を備えたり、安定性を高めるための特別な信号処理機能を備えたものを用いる必要がなく、センサの機器コストを抑えることができる。
【発明を実施するための最良の形態】
【０００７】
図１は、本発明の条件設定制御盤の構成を示すブロック図である。入力回路１１、入力回路１２、入力回路１３には、防犯センサ等の各種センサからの検知信号が入力され、これらの信号が、判定部３で処理され、その結果が、出力回路２１、出力回路２２、出力回路２３から、所定の警報処理をおこなう監視制御盤等に向けて出力される。４は、判定条件入力部であり、ここに接続されるパソコンから、判定部３が実行する判定条件が入力される。５は、設定状態記憶部であり、設定された判定条件がここに保存される。６は、表示部であり、電源の状態、入力回路の状態、入力条件の確定状態、出力回路の状態等がＬＥＤなどの表示素子により表示される。
【０００８】
判定条件には、入力回路の接点の状態の設定、入力回路が入力ありと判定するまでの時間の設定、設定した時間以上の入力が、何回あったときに条件クリアーの判断をさせるのかの設定、入力開始から設定した条件が完了するまでに必要な時間（これをタイマー時間という）の設定、各出力毎にどの入力回路の信号を有効にし、どの入力回路の信号を無効にするのかの設定、有効と設定された入力回路の信号が、どのような条件で入力されたときに出力を出すかの設定、各出力が出力を継続させる時間の設定等が含まれており、これらを、パソコンのプログラムによって項目毎に入力するようにしてある。
【０００９】
入力回路の接点の状態の設定は、センサの検知信号が、待機時にクローズ、検知時にオープンとなるものである（ｂ接点あるいはＮ．Ｃ接点という）か、待機時にオープン、検知時にクローズとなるものである（ａ接点あるいはＮ．Ｏ接点という）かのどちらかに合わせて設定するものである。この設定により、無電圧接点出力を有するすべてのセンサに対応可能となる。
【００１０】
入力回路が入力ありと判定するまでの時間の設定は、センサ出力等で用いられるリレー接点が切り替わる際の、短時間におけるオンオフ動作（チャタリング）による誤判定を防止するためのものであり、０．１秒から６０秒の任意の値に設定することができるようにしてある。この設定により、外来ノイズ等による誤動作をも防止することができ、センサの検知信号の回数検出を正確におこなうことができる。
【００１１】
設定した時間以上の入力が、何回あったときに条件クリアーの判断をさせるのかの設定は、各入力にカウンターを設け、設定した回数の入力があったときに、設定条件が整ったと判定させる機能を持たせたものである。例えば、設定値が２回である場合には、設定した時間以上（０．１秒と設定した場合はそれ以上）の入力が２回あったときに、条件クリアーの判断をさせる。
【００１２】
入力開始から設定した条件が完了するまでに必要な時間（タイマー時間）の設定は、最初の入力があったときに計時を開始し、どのくらいの時間経過後に対応する入力のカウンターをリセットさせるかを設定するものであり、１０秒〜１０分の間の任意の時間に設定可能とする。
【００１３】
有効と設定された入力回路の信号が、どのような条件で入力されたときに出力を出すかの設定は、ＡＮＤ、ＯＲ、順序の３種類の設定の中から１つを選択して設定するものである。ＡＮＤの設定は、タイマー時間内に、設定した入力のすべての条件が整ったときに出力をおこなうものである。ＯＲの設定は、タイマー時間内に、設定した入力のいずれかの条件が整ったときに出力をおこなうものである。順序の設定は、タイマー時間内に、設定した入力回路に、設定した順番に入力があった場合に出力をおこなうものである。
【００１４】
各出力毎にどの入力回路の信号を有効にし、どの入力回路の信号を無効にするのかの設定は、複数設けた出力チャンネル毎に、タイマー時間の設定、各入力毎の有効、無効の設定、有効と設定された入力回路の信号が、どのような条件で入力されたときに出力を出すかの設定をおこなうものである。
【００１５】
各出力が出力を継続させる時間の設定は、設定した条件に一致したことを受けて出力をおこなう際に、その時間を設定するものであり、１秒〜６０秒の任意の時間あるいは連続の設定をおこなう。連続を設定した場合は、停止の操作をおこなうまで出力が連続する。
【００１６】
具体的な設定例をもとに本発明の警戒解除制御盤の動作を説明する。タイマー時間３０秒の間に、入力回路１１に１回、入力回路１２に２回、入力回路１３に３回の信号入力があったときに出力回路２１から５秒の出力を発するように設定するものとする。この場合は、入力設定のプログラム上で、入力回路１１のカウント設定を１に、入力回路１２のカウント設定を２に、入力回路１３のカウント設定を３にセットする。次に、出力設定のプログラム上で、ＡＮＤ、ＯＲ、順序の項目の中から、ＡＮＤの設定を選択し、入力回路１１、入力回路１２、入力回路１３を有効に設定する。そして、タイマー時間を設定するプログラム上で、時間を３０秒に設定し、出力時間を設定するプログラム上で、時間を５秒に設定する。このように設定したのちに、いずれかの入力、例えば入力回路１３に１回目の入力があると、タイマーが計時を開始する。３０秒以内に、入力回路１１に１回、入力回路１２に２回、入力回路１３に３回の信号入力があったときに、すべての入力回路において、カウント値が設定値に達し、出力回路２１から５秒の出力を発する。出力時間が設定した時間経過すると、入力回路１１のカウント値、入力回路１２のカウント値、入力回路１３のカウント値は、すべて０にリセットされ、同時にタイマーの計時も０にリセットされ停止する。
【００１７】
タイマー時間３０秒の間に、入力回路１１に１回、入力回路１２に２回、入力回路１３に３回の信号入力が、いずれかの入力回路にて完了したときに出力回路２２から５秒の出力を発するように設定するものとする。この場合は、入力設定のプログラム上で、入力回路１１のカウント設定を１に、入力回路１２のカウント設定を２に、入力回路１３のカウント設定を３にセットする。次に、出力設定のプログラム上で、ＡＮＤ、ＯＲ、順序の項目の中から、ＯＲの設定を選択し、入力回路１１、入力回路１２、入力回路１３を有効に設定する。そして、タイマー時間を設定するプログラム上で、時間を３０秒に設定し、出力時間を設定するプログラム上で、時間を５秒に設定する。このように設定したのちに、いずれかの入力、例えば入力回路１３に１回目の入力があると、タイマーが計時を開始する。３０秒以内に、入力回路１１に１回、又は入力回路１２に２回、又は入力回路１３に３回の信号入力があったときに、いずれかの入力回路において、カウント値が設定値に達し、出力回路２２から５秒の出力を発する。出力時間が設定した時間経過すると、入力回路１１のカウント値、入力回路１２のカウント値、入力回路１３のカウント値は、すべて０にリセットされ、同時にタイマーの計時も０にリセットされ停止する。
【００１８】
タイマー時間３０秒の間に、入力回路１１に１回、入力回路１２に２回、入力回路１３に３回の信号入力が、設定した順番（入力回路１１、入力回路１２、入力回路１３の順）にあったときに出力回路２３から５秒の出力を発するように設定するものとする。この場合は、入力設定のプログラム上で、入力回路１１のカウント設定を１に、入力回路１２のカウント設定を２に、入力回路１３のカウント設定を３にセットする。次に、出力設定のプログラム上で、ＡＮＤ、ＯＲ、順序の項目の中から、順序の設定を選択し、入力回路１１、入力回路１２、入力回路１３を有効に設定する。そして、タイマー時間を設定するプログラム上で、時間を３０秒に設定し、出力時間を設定するプログラム上で、時間を５秒に設定する。このように設定したのちに、いずれかの入力で、入力回数が設定値に達すると、例えば入力回路１１に１回の入力があると、タイマーが計時を開始する。３０秒以内に、入力回路１１に１回、入力回路１２に２回、入力回路１３に３回の信号入力が、この順番で完了すると、出力回路２３から５秒の出力を発する。出力時間が設定した時間経過すると、入力回路１１のカウント値、入力回路１２のカウント値、入力回路１３のカウント値は、すべて０にリセットされ、同時にタイマーの計時も０にリセットされ停止する。
【００１９】
このように、複数の防犯センサの検知信号に対し、それらの信号の状況を判断し、最終的に検知信号として出力するか否かの判定をおこない、その結果を監視制御盤へ送るようにしたので、防犯システムの誤動作を減らすことができるのである。複数の防犯センサと、これらの防犯センサからの侵入者検知信号を受けて所定の警報処理をおこなう監視制御盤等で構成される防犯システムでは、センサを設置した場所の、周囲の状況が、それぞれ監視対象によって異なるものであるが、個々の状況を調べてみると、ある程度侵入経路が特定されたり、侵入者の動きに対応するセンサの検知タイミングが、限定されたりするものである。そういった条件を整理し、判定部がおこなう判定基準を設定することにより、侵入者以外の要因に基づく、センサの検知信号は、除去されることになるのである。
【００２０】
入力回路、出力回路ともに３回路に場合について説明したが、２回路以上何回路の構成の条件設定制御盤であっても、本発明は実現可能であり、その実施効果は得られる。
【図面の簡単な説明】
【００２１】
【図１】本発明の条件設定制御盤の構成を示すブロック図である。
【符号の説明】
【００２２】
１１・・・入力回路
１２・・・入力回路
１３・・・入力回路
２１・・・出力回路
２２・・・出力回路
２３・・・出力回路
３・・・判定部
４・・・判定条件入力部
５・・・設定状態記憶部
６・・・表示部
【図１】
2005078137.tif 000003